(57)【要約】【課題】  前述の特許出願の楽曲処理装置において、グループ用プレイリストに基づく楽曲再生の中断後、中断期間終了後に、グループ用プレイリストの適切化及び迅速化を図る。【解決手段】  楽曲処理装置７０は、１個以上の携帯型楽曲再生機器７１ａ，・・・を接続され、各携帯型楽曲再生機器７１ａ，・・・からの楽曲信号を受信して該楽曲信号に係る再生音を放音器７２より出力可能になっているとともに、自身が装備する記憶装置７３内の楽曲を再生して、再生音を放音器７２から出力可能になっている。楽曲保有型楽曲処理装置７０の楽曲選択手段７５は、楽曲処理装置７０及び各携帯型楽曲再生機器７１ａ，・・・が保有する楽曲の中から所定の選択条件に該当する楽曲を選択する。非保有型楽曲処理装置７０の楽曲選択手段７５は、各携帯型楽曲再生機器７１ａ，・・・が保有する楽曲の中から所定の選択条件に該当する楽曲を選択する。【選択図】      図１１
2006284755.tif 000002
【特許請求の範囲】
【請求項１】
１個以上の携帯型楽曲再生機器を接続され、各携帯型楽曲再生機器からの楽曲信号を受信して該楽曲信号に係る再生音を放音器より出力可能になっているとともに、自身が装備する記憶装置内の楽曲を再生して、再生音を前記放音器から出力可能になっている楽曲処理装置において、
前記楽曲処理装置及び各携帯型楽曲再生機器が保有する楽曲の中から所定の選択条件に該当する楽曲を選択する楽曲選択手段、
選択された楽曲を再生対象楽曲として登録したプレイリストを作成するプレイリスト作成手段、
前記プレイリストに登録されている楽曲を１個ずつ順番に再生する再生手段、
前記プレイリストに基づく前記再生手段による楽曲の再生の中断期間を検出する中断期間検出手段、
中断期間終了時までの所定事実の有無を検出する有無検出手段、
前記楽曲選択手段及び前記プレイリスト作成手段にそれらの処理を再実行させてプレイリストを再作成する再作成手段、
中断期間開始に先立ち前記プレイリストを保存し中断期間終了後では保存した前記プレイリストを読み出して該プレイリストを前記再生手段に再利用させる再利用手段、及び
中断期間の終了時では、前記所定事実の有無に基づき前記再作成手段及び前記再利用手段のいずれかを起動させる制御手段、
を有していることを特徴とする楽曲処理装置。
【請求項２】
２個以上の携帯型楽曲再生機器を接続され、各携帯型楽曲再生機器からの楽曲信号を受信して該楽曲信号に係る再生音を放音器より出力可能になっている楽曲処理装置において、
各携帯型楽曲再生機器が保有する楽曲の中から所定の選択条件に該当する楽曲を選択する楽曲選択手段、
選択された楽曲を再生対象楽曲として登録したプレイリストを作成するプレイリスト作成手段、
前記プレイリストに登録されている楽曲を１個ずつ順番に再生する再生手段、
前記プレイリストに基づく前記再生手段による楽曲の再生の中断期間を検出する中断期間検出手段、
中断期間終了時までの所定事実の有無を検出する有無検出手段、
前記楽曲選択手段及び前記プレイリスト作成手段にそれらの処理を再実行させてプレイリストを再作成する再作成手段、
中断期間開始に先立ち前記プレイリストを保存し中断期間終了後では保存した前記プレイリストを読み出して該プレイリストを前記再生手段に再利用させる再利用手段、及び
中断期間の終了時では、前記所定事実の有無に基づき前記再作成手段及び前記再利用手段のいずれかを起動させる制御手段、
を有していることを特徴とする楽曲処理装置。
【請求項３】
前記所定事実とは、中断期間中に前記楽曲処理装置が搭載される車両のエンジンキーの挿抜があった事実、中断期間終了時までのエンジン停止が所定時間以上となっている事実、前記選択条件に該当する前記楽曲処理装置若しくは各携帯型楽曲再生機器の保有楽曲に変更があった事実、前記選択条件の因子となっている各ユーザの嗜好情報であって各携帯型楽曲再生機器に登録されている嗜好情報に変更があった事実、中断期間中に再生ソースを前記楽曲処理装置若しくは各携帯型楽曲再生機器の保有楽曲以外のソースへ切り替えた事実、中断期間が所定時間以上であった事実の内の２個以上の事実の組み合わせ又は１個の事実から成ることを特徴とする請求項１又は２記載の楽曲処理装置。
【請求項４】
前記選択条件に該当する前記楽曲処理装置若しくは各携帯型楽曲再生機器の保有楽曲に変更があった事実、前記選択条件の因子となっている各ユーザの嗜好情報であって各携帯型楽曲再生機器に登録されている嗜好情報に変更があった事実、又は再生ソースを前記楽曲処理装置若しくは各携帯型楽曲再生機器の保有楽曲以外のソースへ切り替えた事実から成る前記所定事実が適用される前記楽曲処理装置は、自動車又は建物内に配備されるものであることを特徴とする請求項３記載の楽曲処理装置。
【請求項５】
前記楽曲選択手段による楽曲の選択数に制限がある場合、前記選択条件に該当する前記楽曲処理装置又は各携帯型楽曲再生機器の保有楽曲に追加楽曲が存在する事実に因る起動では、該追加楽曲を優先的に選択するように、前記楽曲選択手段に処理させる前記再作成手段、
を有していることを特徴とする請求項１〜４のいずれかに記載の楽曲処理装置。
【請求項６】
前記選択条件に該当する前記楽曲処理装置又は各携帯型楽曲再生機器の保有楽曲に追加楽曲が存在する事実に因る起動では、該追加楽曲の再生順番が他の楽曲の再生順番より早くなるように、前記プレイリスト作成手段に処理させる前記再作成手段、
を有していることを特徴とする請求項１〜５のいずれかに記載の楽曲処理装置。
【請求項７】
前記選択条件に該当する前記楽曲処理装置又は各携帯型楽曲再生機器の保有楽曲に追加楽曲が存在せず消失楽曲が存在する場合には、前記再利用手段を起動させるとともに、前記再生手段には再利用プレイリストに登録されている消失楽曲について再生をスキップさせる前記制御手段、
を有していることを特徴とする請求項１〜６のいずれかに記載の楽曲処理装置。
【請求項８】
前記選択条件に該当する前記楽曲処理装置又は各携帯型楽曲再生機器の保有楽曲に追加楽曲が存在せず消失楽曲が存在する場合には、前記再利用手段を起動させるとともに、該消失楽曲を保有楽曲から選択された楽曲処理装置又は携帯型楽曲再生機器とは別の楽曲処理装置又は携帯型楽曲再生機器が保有しているときには、該別の楽曲処理装置又は携帯型楽曲再生機器から該消失楽曲に係る選択条件信号を受信して該消失楽曲を前記再生手段に再生させる前記制御手段、
を有していることを特徴とする請求項１〜７のいずれかに記載の楽曲処理装置。
【請求項９】
中断期間の終了時では、前記所定事実の有無の代わりに、ユーザからの指示に基づき前記再作成手段及び前記再利用手段のいずれかを起動させる前記制御手段、
を有していることを特徴とする請求項１記載の楽曲処理装置。
【請求項１０】
中断期間終了時までのエンジン停止が所定時間以上となっている事実における所定時間、中断期間中に再生ソースを前記楽曲処理装置若しくは各携帯型楽曲再生機器の保有楽曲以外の別ソースへ切り替えていた場合に別ソース選択時間が所定時間以上となっている事実における所定時間、又は中断期間が所定時間以上であった事実における所定時間はユーザ設定可能となっていることを特徴とする請求項３記載の楽曲処理装置。
【請求項１１】
前記携帯型楽曲再生機器の１個が前記楽曲処理装置であることを特徴とする請求項１〜１０のいずれかに記載の楽曲処理装置。
【請求項１２】
１個以上の携帯型楽曲再生機器を接続され、各携帯型楽曲再生機器からの楽曲信号を受信して該楽曲信号に係る再生音を放音器より出力可能になっているとともに、自身が装備する記憶装置内の楽曲を再生して、再生音を前記放音器から出力可能になっている楽曲処理装置の楽曲処理方法において、
前記楽曲処理装置及び各携帯型楽曲再生機器が保有する楽曲の中から所定の選択条件に該当する楽曲を選択するステップ、
選択された楽曲を再生対象楽曲として登録したプレイリストを作成するステップ、
前記プレイリストに登録されている楽曲を１個ずつ順番に再生するステップ、
前記プレイリストに基づく楽曲の再生の中断期間を検出するステップ、
中断期間終了時までの所定事実の有無を検出する有無検出ステップ、及び
中断期間の終了時では、前記所定事実の有無に基づき再作成のプレイリスト及び再利用プレイリストいずれかに基づき楽曲を再生するステップ、
を有していることを特徴とする楽曲処理方法。
【請求項１３】
２個以上の携帯型楽曲再生機器を接続され、各携帯型楽曲再生機器からの楽曲信号を受信して該楽曲信号に係る再生音を放音器より出力可能になっている楽曲処理装置の楽曲処理方法において、
各携帯型楽曲再生機器が保有する楽曲の中から所定の選択条件に該当する楽曲を選択するステップ、
選択された楽曲を再生対象楽曲として登録したプレイリストを作成するステップ、
前記プレイリストに登録されている楽曲を１個ずつ順番に再生するステップ、
前記プレイリストに基づく楽曲の再生の中断期間を検出するステップ、
中断期間終了時までの所定事実の有無を検出する有無検出ステップ、及び
中断期間の終了時では、前記所定事実の有無に基づき再作成のプレイリスト及び再利用プレイリストいずれかに基づき楽曲を再生するステップ、
を有していることを特徴とする楽曲処理方法。
【請求項１４】
請求項１〜１０のいずれかに記載の楽曲処理装置の各手段としてコンピュータを機能させるためのプログラム。
【発明の詳細な説明】
【技術分野】
【０００１】
本発明は、各ユーザが自分の携帯型楽曲再生機器等に保有する楽曲についてグループ用プレイリストを作成して、該プレイリストに基づき楽曲を再生して楽しむことのできる楽曲処理装置、楽曲処理方法及びプログラムに関するものである。
【背景技術】
【０００２】
特許文献１は、車載音響機器が、ユーザにより車内へ持ち込まれた携帯音響機器から音楽データを無線通信により受信して、車載スピーカより再生音を出力するとともに（請求項１）、各携帯音響機器に保有されている楽曲に係る情報を携帯音響機器別に車載ディスプレイに表示する（図６及び図７）ことを開示する。
【特許文献１】特開２００１−２９６８７５号公報
【発明の開示】
【発明が解決しようとする課題】
【０００３】
グループのユーザ同士が自分の携帯型楽曲再生機器を持ち寄って、グループで選択条件を決め、選択条件に合致する楽曲を各携帯型楽曲再生機器から選択して、それら楽曲を再生して、グループで再生を楽しみたいことがある。
【０００４】
特許文献１の音響システムは、単に複数の携帯音響機器を車載機器へ接続し、各携帯音響機器に保有される楽曲を車載スピーカより聞くことができるようにしただけであり、複数の携帯音響機器を１個の音響機器にまとめたようにして、全体の楽曲の再生を楽しむことは困難である。
【０００５】
そこで、本出願人は、別の特許出願（特願２００５−１０１８１３）において、選択条件に合致する楽曲をグループの楽曲処理装置（例：ヘッドユニット）又は携帯型楽曲再生機器（例：ポータブルオーディオプレーヤ）の保有楽曲の中から探索して、探索結果に基づきグループ全体のプレイリストを作成し、該プレイリストに基づき楽曲を再生し、これにより、各ユーザが携帯型楽曲再生機器等により持ち寄った楽曲をグループ全体で楽しむことができる楽曲処理装置を開示した。
【０００６】
楽曲処理装置が自動車に装備されている場合には、ユーザが、楽曲処理装置本体の電源スイッチをオフへ切り替える以外にも、エンジンキーをＡＣＣ位置からＯＦＦ位置へ切り替えると、楽曲処理装置はオフになり、グループ用プレイリストに基づく楽曲の再生が中断される。グループ用プレイリストに基づく楽曲の再生の中断原因には、例えば、（ａ）ガソリンスタンドにおいて、給油のために、エンジンキーを切ったとか、（ｂ）食事や買い物のために、サービスエリアに自動車を止めたとか、（ｃ）目的地の旅館に到着して、自動車から降りたとか、（ｄ）ラジオに切り換えて、ニュースを聞いたとかが挙げられる。
【０００７】
そして、例えば（ａ）の場合には、グループ用プレイリストに基づく楽曲再生の中断期間において、グループ員の出入りや、各ユーザの保有楽曲の変更は考えられず、中断期間終了後、グループ用プレイリストを再利用した方が利点が大きいと考えられる。しかし、（ｃ）の場合には、中断期間中に、一人のユーザがグループから離脱したり、新たなユーザがグループに加入したり、ユーザが新たな楽曲を自己の携帯型楽曲再生機器にダウンロードしたり、又は楽曲を削除したりすることが起こり得る。
【０００８】
前述の特許出願に係る発明では、中断期間終了に伴うグループ用プレイリストの楽曲再生の再開時の適切な処理が未解決になっている。
【０００９】
本発明の目的は、前述の特許出願の楽曲処理装置において、グループ用プレイリストに基づく楽曲再生の中断後の、再開時に、グループ用プレイリストの適切化及び迅速化を図ることができる楽曲処理装置、楽曲処理方法及びプログラムを提供することである。
【課題を解決するための手段】
【００１０】
本発明によれば、グループ用プレイリストによる楽曲再生の中断が終了した時、所定事実の有無を検出する。所定事実とは、例えば、中断期間中に楽曲処理装置が搭載される車両のエンジンキーの挿抜が行われたり、今回のエンジン停止が所定時間以上にわたっていたり、中断期間中に再生ソースを楽曲処理装置若しくは各携帯型楽曲再生機器の保有楽曲以外のソースへ切り替えたりした事実である。そして、該所定事実の有無に基づき、中断期間前のグループ用プレイリストの再利用又はグループ用プレイリストの再作成が行われる。なお、グループ用プレイリストの再作成の場合の選択条件は、典型的には、中断期間前のグループ用プレイリストに適用している選択条件と同一とされるが、別の選択条件に適宜、変更してもよいとする。
したりする。
【発明の効果】
【００１１】
本発明によれば、グループ用プレイリストの楽曲再生の中断期間におけるグループメンバーの出入りの有無や、楽曲の追加及び削除に適合したグループ用プレイリストを、中断期間終了後に、利用することができる。
【発明を実施するための最良の形態】
【００１２】
図１は車載型楽曲再生システム１０の概略構成図である。車載型楽曲再生システム１０は、１個のヘッドユニット１１と、複数個のポータブルオーディオプレーヤ２８ａ，２８b，２８c・・・とを装備する。典型的なヘッドユニット１１はカーナビゲーション装置に実装され、該カーナビゲーション装置がヘッドユニット１１の機能を併せ持つ。ポータブルオーディオプレーヤ２８ａ，２８b，２８c・・・は、各ユーザに所持され、自動車の車内へ適宜、持ち込んで、ケーブル又は無線を介してヘッドユニット１１へ切り離し自在に接続可能になっている。ケーブルは例えばＵＳＢケーブルやＬＡＮケーブルであってよく、無線は例えば無線ＬＡＮやブルートゥース（bluetooth）等であってもよい。ヘッドユニット１１は、ハードディスク装置１２内にＭＰ３等の楽曲圧縮ファイルで記録されている楽曲をそれ自体で再生可能になっている。各ポータブルオーディオプレーヤ２８ａ，２８b，２８c・・・も、それ自体で不揮発性メモリ２９にＭＰ３等の楽曲圧縮ファイルで記録されている楽曲を再生自在になっている。不揮発性メモリ２９は、例えばハードディスク装置又はフラッシュメモリ等から成る。楽曲は、１曲ごとに所定のフォーマットの規定に従い圧縮されたＭＰ３，ＷＭＡ，ＡＡＣ等の楽曲圧縮ファイルとしてハードディスク装置１２及び不揮発性メモリ２９に記録されている。
【００１３】
ヘッドユニット１１は、ハードディスク装置１２の他に、情報処理部１３、アンプ１４、表示部１５、キー１６及び情報保存部１７を装備する。情報処理部１３は、各種のプログラムに従って所定の演算を行うＣＰＵ２０を備える。情報処理部１３は、各種の情報を例えばＬＣＤ（liquid crystａl displａy）から成る表示部１５に表示し、ユーザは、ヘッドユニット１１への指示をキー１６を操作することにより行い、キー１６への入力情報は、情報処理部１３へ送られて、情報処理部１３において対応の処理が行われる。ユーザによるヘッドユニット１１への指示は、リモコン（図示せず）を介して行うこともできる。
【００１４】
情報保存部１７は、フラッシュメモリ等の不揮発メモリから成り、ＣＰＵ２０によりデータを適宜、読書き自在になっている。情報保存部１７は、プレイリスト情報２２、再生履歴情報２３及び機器接続情報２４等を保存する。プレイリスト情報２２には、ヘッドユニット１１の所有者専用のプレイリストだけでなく、複数ユーザに共通する後述のプレイリストに係る情報も含み、プレイリスト情報２２はプレイリストの再利用のために保存されている。再生履歴情報２３とは、ヘッドユニット１１における過去所定期間内の楽曲の再生履歴に係る情報であり、機器接続情報２４は、その保存時にどのようなポータブルオーディオプレーヤ２８ａ，２８b，２８c・・・がヘッドユニット１１に接続されていたかを検出するための情報である。車載型楽曲再生システム１０及び各ポータブルオーディオプレーヤ２８ａ，２８b，２８c・・・は、ＭＡＣ（Mediａ Access Control）アドレス等のＩＤが付与され、該ＩＤにより相互に識別自在になっている。スピーカ１８は、ヘッドユニット１１とは別体で設けられ、アンプ１４からのオーディオ信号を音へ変換する。ヘッドユニット１１が、ハードディスク装置１２内の楽曲を再生する場合には、情報処理部１３が、ハードディスク装置１２から楽曲のファイルを読み込んで、対応の規格（例：ＭＰ３，ＷＭＡ）に基づきデコードして、アナログのオーディオ信号を生成し、それをアンプ１４へ出力する。アンプ１４は、アナログオーディオ信号を増幅し、スピーカ１８へ出力する。
【００１５】
ポータブルオーディオプレーヤ２８ａ，２８b，２８c・・・は、ユーザの衣服のポケットに格納可能な例えばｉＰｏｄ（米国アップル社登録商標）等の楽曲再生器であり、ハードディスクやフラッシュメモリ等の不揮発性メモリ２９を内蔵する。不揮発性メモリ２９には多数の楽曲がＭＰ３やＷＭＡ等のオーディオフォーマットのファイルで記録されている。各ポータブルオーディオプレーヤ２８ａ，２８b，２８c・・・は、ヘッドユニット１１からの再生指示を受け付けると、指示のあった楽曲ファイルを読み込んで、対応の規格（例：ＭＰ３，ＷＭＡ）に基づきデコードして、アナログ又はデジタルのオーディオ信号を生成する。そして、そのオーディオ信号を、車載型楽曲再生システム１０との通信の規格に変換して、車載型楽曲再生システム１０へ伝送するようになっている。
【００１６】
図２はハードディスク装置１２及び不揮発性メモリ２９における楽曲ファイル３２のデータ構造を示している。各楽曲の音声データはＭＰ３等の規格により圧縮された楽曲ファイル形式でハードディスク装置１２及び不揮発性メモリ２９に記録される。各楽曲ファイル３２はヘッダとデータ部とを備え、データ部には、オーディオ信号を圧縮した音声データが記録され、また、ヘッダには、ジャンル、アーティスト、タイトル（楽曲名）等の付帯情報が記録される。各楽曲の付帯情報は、所定の楽曲編集ソフトにより楽曲ファイル３２を作成する際に、例えば、ＣＤのデータベースGrace note CDDB（http://www.cddb.com）から適宜入手して入力作業を省いたり、自ら、テキスト入力したりして、音声データと共に楽曲ファイル３２内に格納することができる。Grace note CDDBでは、楽曲（トラック）の付帯情報として、タイトル、アーティスト、レーベル、発売年、クレジット情報、ジャンル・・・が定義されている。なお、楽曲は、ハードディスク装置１２及び不揮発性メモリ２９においてフォルダを利用して管理されており、フォルダは、通常、アルバムに対応し、アルバムの付帯情報として、前述のGrace note CDDBでは、アルバムについてのタイトル、アーティスト、レーベル、ジャンル等が定義されている。典型的な楽曲ファイル３２は、ハードディスク装置１２及び不揮発性メモリ２９において所定のフォルダ内に格納されている。楽曲に係る情報には、楽曲自体（トラック自体）の楽曲ファイル３２に格納されている付帯情報だけでなく、フォルダ（アルバム）の付帯情報をも含めることができる。
【００１７】
図３は嗜好情報ファイル３３の構造図である。嗜好データは、ハードディスク装置１２及び不揮発性メモリ２９に、所定のファイル名（拡張子も含む）の嗜好情報ファイル３３に格納されて記録される。ヘッドユニット１１及びポータブルオーディオプレーヤ２８ａ，２８b，２８c・・・の所有者は、所定のプログラムにより音楽に関する自分の好みを嗜好データを嗜好情報ファイル３３に格納して、ハードディスク装置１２及び不揮発性メモリ２９に登録できるようになっている。嗜好データは、例えば、好きなジャンル、嫌いなジャンル、嫌いなアーティスト及びプレイリストについて登録できる。嗜好データは、登録が必須のものではなく、ユーザによっては嗜好情報ファイル３３をハードディスク装置１２及び不揮発性メモリ２９に記録していない場合もある。図３では、プレイリストが、好き嫌いの情報と共に嗜好情報ファイル３３に格納されているが、嗜好データとは別個のファイルに記録されてもよい。嗜好情報ファイル３３は通常、メタファイルとして利用される。また、嗜好情報ファイル３３は、ヘッドユニット１１及びポータブルオーディオプレーヤ２８ａ，２８b，２８c・・・が必須に保有していなければならないものではなく、ユーザのポータブルオーディオプレーヤによっては嗜好情報ファイル３３がないことがあるとする。
【００１８】
ポータブルオーディオプレーヤ２８ａ，２８b，２８c・・・の所有者としての各ユーザの楽曲についての好き嫌い（嗜好）は、嗜好情報ファイル３３が存在しなくも、他のデータにより代替できる。例えば、ユーザが自分のポータブルオーディオプレーヤに保有する付帯情報（ジャンルやアーティスト名等）付き楽曲に基づき、各ジャンルの総曲数を調べ、多ければ、それは該ユーザが特に好んでいるジャンルと、判断できる。また、ポータブルオーディオプレーヤに再生履歴が存在している場合には、再生履歴に基づきジャンルやアーティストについての聴取頻度や聴取回数を調べ、それらの大きい又は多いものは該ユーザが特に好んでいるジャンルやアーティストと判断できる。
【００１９】
図４は携帯電話３５におけるメタファイル３６のデータ構造を示している。携帯電話３５は、ヘッドユニット１１にケーブルや無線を介して切り離し自在に接続される。メタファイル３６は携帯電話３５の不揮発性メモリ３７に記憶され、メタファイル３６の各フィールドには、楽曲ファイル３２（図２）におけるヘッダ部分の付帯情報の各情報要素名が記録される。ヘッドユニット１１は、携帯電話３５のメタファイル３６から各情報要素名を読み込むことにより、携帯電話３５のユーザの嗜好情報を検出できる。
【００２０】
携帯電話３５におけるメタファイル３６の作成方法には、ユーザが携帯電話３５に対して、アドレス帳への電話番号登録と同様な編集操作で、テキストデータを入力して、メタファイル３６を直接、作成することの外に、ユーザが携帯電話３５をオーディオ再生機器に接続して、該オーディオ再生機器のメタデータ又はメタファイルを転送することがある。携帯電話３５等へのメタデータ等の転送元のオーディオ再生機器には、例えば、パソコン、携帯型再生装置、又はホームオーディオ機器が挙げられる。それらメタデータ等の転送元のオーディオ再生機器は、ユーザ自身の所有のものに限定されず、嗜好情報が許容範囲内であれば、家族や知人等の他人の所有するものであってもよい。
【００２１】
携帯電話３５等へのメタデータ等の転送元のオーディオ再生機器からのメタデータ等の構築方法には、ユーザの嗜好をテキスト入力するだけでなく、例えば、好みの１個の楽曲をオーディオ再生機器において再生している期間に所定のキーを操作することによりその再生楽曲の付帯情報（例えばジャンルやアーティスト）がユーザのお気に入りの嗜好情報として一気に登録されるようにしたり、ユーザが、楽曲の再生中に、それが好みと判断すれば、そのつど、キーを操作し、所定期間にわたりキー操作の回数をカウントし、嗜好データが統計データとして作成されるようになっていてもよい。
【００２２】
車載型楽曲再生システム１０における３人のユーザＡ，Ｂ，Ｃによるグループ用プレイリスト構築方法について説明する。ユーザＡは運転者でもあり、ヘッドユニット１１はユーザＡの自動車に装備されているものとする。ここでは、ユーザＡのヘッドユニット１１は、ハードディスク装置１２に楽曲を全く有していないか、又は接続されたポータブルオーディオプレーヤ２８ａ，２８ｂ，２８ｃからのデコード済みのオーディオ信号を受信して、オーディオ信号に係るオーディオを放音器５２から出力可能になっているものの、ヘッドユニット１１自身では楽曲ファイルをデコードする機能を装備しないタイプのものとする。ユーザＡ，Ｂ，Ｃはポータブルオーディオプレーヤ２８ａ，２８ｂ，２８ｃを所持する。
【００２３】
最初、ユーザＡのみが、他には誰も同乗させることなく、自分の自動車を運転している。ヘッドユニット１１にはポータブルオーディオプレーヤ２８ａをＵＳＢケーブルで接続し、ポータブルオーディオプレーヤ２８ａ専用のプレイリストをヘッドユニット１１において作成し、該ポータブルオーディオプレーヤ２８ａ専用のプレイリストに基づき再生された楽曲を聞いている。
【００２４】
或る場所からユーザＢ，ＣがユーザＡの自動車に同乗し、ポータブルオーディオプレーヤ２８ｂ，２８ｃがそれぞれワイヤレス及びＵＳＢによりヘッドユニット１１へ接続されたと仮定する。ユーザＢ，Ｃは、グループ用プレイリストに基づく楽曲再生に参加するならば、ポータブルオーディオプレーヤ２８ｂ，２８ｃをエントリモードへ切替え、拒否するならば、エントリモードへ切替えは行わないことにする。全面許容の一律のエントリモードの他に、エントリモードを複数個に分割して設定することもできる。第１のエントリモードは、ヘッドユニット１１への自分のポータブルオーディオプレーヤの保有楽曲の楽曲信号の送信は許容するが、嗜好情報の送信は禁止するもの、第２のエントリモードは嗜好情報の送信は許容するが、楽曲信号の送信は禁止するもの、第３のエントリモードは楽曲信号及び嗜好情報の両方の送信を許容するものである。ここでは、全面許容の一律のエントリモードを想定し、ユーザＢ，Ｃ共にエントリモードへ切り替えたとする。
【００２５】
ヘッドユニット１１は、ポータブルオーディオプレーヤ２８ａ，２８ｂ，２８ｃのメタデータを収集する。嗜好情報に関して、ユーザＡ，Ｂは共に好きなジャンルがロックとジャズ、ユーザＣは好きなジャンルがロックのみであったとする。この場合、ロックはグループ員全員の好きなジャンルとなっているので、ヘッドユニット１１は、自動的に、選択条件を、「ジャンルがロックに属する楽曲」に設定する。
【００２６】
嗜好情報に関して、ユーザＡ，Ｂ，Ｃは共に好きなジャンルがロックとジャズであったとする。この場合は、その旨を表示部１５に表示し、今回の選択条件をロック及びジャズのどちらにするかをグループに決定させる。その他の方法としては、選択条件をロックかジャスかのいずれかに属する楽曲と自動設定することもできる。この選択条件の場合に、プレイリストへの登録数の制限が２０曲であれば、ロック及びジャズの楽曲がそれぞれ１０個ずつ登録されることになる。
【００２７】
ヘッドユニットは、嗜好情報の収集結果を表示部１５に表示するともできる。表示部１５への嗜好情報の収集結果の表示はランキング形式を採用することもできる。例えば、ユーザＡ，Ｂは共に好きなジャンルがロックとジャズ、ユーザＣは好きなジャンルがロック及びポップスであったとする。ランキング形式の表示では、一位にロック、二位にジャズ、三位にポップが表示される。グループは、今回の選択条件を、必ずしも一位のジャンルに設定することなく、二位以下のものを設定してもよい。
【００２８】
図５は各ポータブルオーディオプレーヤ２８ａ，２８ｂ，２８ｃの不揮発性メモリ２９に楽曲データとして格納されている楽曲ファイルを、ジャンルを区別して示している、楽曲ファイルの符号のＡ，Ｂ，Ｃはそれぞれポータブルオーディオプレーヤ２８ａ，２８ｂ，２８ｃが保有している楽曲ファイルであることを意味し、添え字のｒ，ｊはそれぞれロック及びジャズの楽曲ファイルであることを意味し、さらに、３番目の添え字１，２，３，・・・は、ポータブルオーディオプレーヤ別及びジャンル別の順番を示している。図５において、「・・・」はロック及びジャズ以外の楽曲ファイルが格納されていることを意味する。
【００２９】
ユーザＡ，Ｂ，Ｃの協議に従い又はヘッドユニット１１による自動設定により、今回のグループ用プレイリスト作成の基礎とする選択条件はロックに属する楽曲に設定されたとする。ヘッドユニット１１は、該選択条件に基づき、ポータブルオーディオプレーヤ２８ａ，２８ｂ，２８ｃの保有楽曲の中から、ジャンルがロックである楽曲を選択する。ここで、ジャンルがロックに属する楽曲が、ポータブルオーディオプレーヤ２８ａ，２８ｂ，２８ｃにそれぞれ５０、４０,１０個、存在し、グループ全体の総数が１００曲であったとする。
【００３０】
ヘッドユニット１１は、グループ用プレイリストの最大登録数（該最大登録数はあらかじめのユーザ設定やグループ用プレイリスト作成ごとのユーザ選択ができるようになっている。ここでは２０とする。）に対し、５：４：１の配分で、すなわちそれぞれ１０，８，２曲ずつポータブルオーディオプレーヤ２８ａ，２８ｂ，２８ｃから該当楽曲を選択し、これら選択した楽曲をグループ用プレイリストに登録する。
【００３１】
図６は各ポータブルオーディオプレーヤ２８ａ，２８ｂ，２８ｃから選択した楽曲に基づき作成されたグループ用プレイリスト４１における楽曲登録状況及び再生順を示している。ジャンルがロックに属する楽曲の選択条件選択条件に対して各ポータブルオーディオプレーヤ２８ａ，２８ｂ，２８ｃから選択された楽曲Ａｒ１，Ａｒ２，Ａｒ３，・・・、Ｂｒ１，Ｂｒ２，Ｂｒ３，・・・Ｃｒ１，Ｃｒ２，Ｃｒ３，・・・がグループ用プレイリスト４１に登録される。また、再生順は、ポータブルオーディオプレーヤ２８ａ，２８ｂ，２８ｃの順番で１個ずつ再生するものとし、最後のポータブルオーディオプレーヤ２８ｃの楽曲を再生した次は、再び、最初のポータブルオーディオプレーヤ２８ａの楽曲の再生へ戻る循環形式となっている。
【００３２】
その後、ユーザＡの自動車は、休憩や給油等のために、エンジンを停止する。ヘッドユニット１１は、情報保存部１７にプレイリスト情報２２として、エンジン停止前のグループ用プレイリスト及びその再生履歴を保存する。そして、エンジンが再始動した時には、（ａ）リジューム再生するか、すなわち、プレイリスト情報２２を読み出して、エンジン停止前のグループ用プレイリストを再利用するか、また、（ｂ）グループ用プレイリストを再構築するか、すなわち、エンジン再始動時に接続されているポータブルオーディオプレーヤ２８ａ，２８ｂ，２８ｃの保有楽曲について、選択条件に該当する楽曲の選択を新規にやり直すかのいずれかを実施する。
【００３３】
休憩中に各ポータブルオーディオプレーヤ２８ａ，２８ｂ，２８ｃの保有楽曲の追加、又は削除が行われている可能性があるので、（ａ）又は（ｂ）の実行に先立ち又は並行して、それら追加及び削除をチェックする。そして、追加又は削除があったときには、対応の処理を行う。また、情報保存部１７の記憶容量には制限があるので、グループ用プレイリストの再生履歴は、エンジン停止前の所定時間（例：６時間）とか、所定数（例：約１００曲）とかに制限することになる。
【００３４】
図７はエンジンキーの挿抜に基づくプレイリスト構築方法４０ａのフローチャートである。ヘッドユニット１１は、前述したように、自動車に装備されている。自動車では、エンジンキーの位置について、ＯＦＦ、ＡＣＣ（アクセサリー）、ＯＮ、ＳＴＡＲＴの４位置が時計方向へ規定され、ヘッドユニット１１の電源は、エンジンキーのＯＦＦ位置では、切になり、他の位置では、入になる。また、自動車のエンジンは、エンジンキーが一旦ＡＣＣ又はＯＦＦの位置へ切り替えられると、次にＳＴＡＲＴ位置にされてエンジンが始動されるまで停止状態を維持する。図７〜図９において、ＡＣＣオフとは、エンジンキーがＯＦＦ位置にあることを意味し、ＡＣＣオンとは、エンジンキーがＡＣＣ、ＯＮ、ＳＴＡＲＴ位置にあることを意味する。エンジンキーがＡＣＣ位置にあるときは、エンジンは停止しているが、ヘッドユニット１１は、そのパワースイッチがオンになっていれば、作動状態になっている。したがって、ＡＣＣオンとエンジン作動中とは、厳密には一致しないが、図７〜図９のフローチャートにおいて両者は一致するとして話を進める。
【００３５】
Ｓ４０１では、ＡＣＣオフか否かを調べ、ＡＣＣがオフになりしだい、Ｓ４０２へ進む。Ｓ４０２では、ＡＣＣがオンになったか否かを調べ、オンになりしだい、Ｓ４０３へ進む。Ｓ４０３では、ＡＣＣオフの期間にエンジンキーが挿抜されたか否かを判定し、該判定の結果が正であれば、Ｓ４０４へ進み、否であれば、Ｓ４０６へ進む。エンジンキーの挿抜があったということは、運転者が自動車を駐車して、自動車から離れたことを意味し、ＡＣＣがオフとなっている期間に、グループのメンバーの変更の可能性が高まる。また、エンジンキーの挿抜がなかったということは、例えば、ガソリンスタンドで給油のためにエンジンキーをＯＦＦ位置にした場合のように、ドライバーが自動車内にいるか、エンジンをかけたまま少しの間だけ外へ出ており、グループのメンバーの変更の可能性は低い考えられる。
【００３６】
Ｓ４０４では、プレイリストを再構築する。この再構築では、選択条件について、ＡＣＣオフ前のプレイリストに適用した選択条件と同一のものを使用してよいし、また、今回は前回と別のものを設定してもよい。Ｓ４０５では、ＡＣＣがオンからオフへ切り替わった時のプレイリストに登録されて既再生の楽曲は、Ｓ４０４で再構築したプレイリストから削除する。こうして、前回のプレイリスト再生のときと同一の楽曲が流れるのを回避できる。Ｓ４０６では、前回使用していたプレイリストをレジューム機能を使って読み出して、これを以降のプレイリストとして利用する。Ｓ４０７では、修正されたプレイリスト又は読み出したプレイリストに基づき楽曲再生を実行する。
【００３７】
こうして、グループ用プレイリストによる楽曲再生の中断が生じ、その後、中断期間終了した場合に、グループ用プレイリストの楽曲再生再開時では、メンバーの入れ替えの可能性の高いときには、プレイリストを再構築し、メンバーの入れ替えの可能性の低いときは、前回のグループ用プレイリストを再利用する。
【００３８】
図８はエンジン停止期間の長さに基づくプレイリスト構築方法４０ｂのフローチャートである。図７のプレイリスト構築方法４０ａにおけるステップと同一のステップは、同符号で示し、説明を省略する。プレイリスト構築方法４０ｂは、プレイリスト構築方法４０ａのＳ４０３がＳ４１０に置き換えられただけである。Ｓ４１０では、Ｓ４０２までのエンジン停止期間が所定値以上であるか否かを判定する。そして、該判定が正であれは、Ｓ４０４へ進み、否であれば、Ｓ４０６へ進む。ユーザは、エンジンを止めてから、エンジンキーをＡＣＣ位置にしたまま、グループ用プレイリストによる楽曲再生を聞いていて、その後、エンジンキーをオフ位置にすることがあり、そのような場合は、エンジン停止期間はグループ用プレイリストによる楽曲再生の中断期間より長くなる。エンジン停止期間が長いと、グループのメンバーの変更の可能性が高まり、プレイリストを再構築した方が望ましくなる。
【００３９】
図９はグループ保有楽曲の変更に基づくプレイリスト構築方法４０ｃのフローチャートである。図７のプレイリスト構築方法４０ａにおけるステップと同一のステップは、同符号で示し、説明を省略する。グループ保有楽曲の変更は、プレイリストによる楽曲再生中断期間に、メンバーの出入りがあったとき、メンバーの誰かが、新楽曲をダウンロードしたり、自分のポータブルオーディオプレーヤ２８ａ，２８ｂ，２８ｃ，・・・から削除したときに、起きる。また、グループ保有楽曲の個数に増減が無くても、グループ保有楽曲に変更があるときがある。例えば、或る一人のメンバーが、楽曲を１個、削除するとともに、新規な楽曲をダウンロードした場合である。Ｓ４２０におけるグループ保有楽曲の変更は、典型的には、中断期間開始直前に使用していたプレイリストに適用した選択条件に該当する楽曲の変更である。
【００４０】
Ｓ４２０では、グループ保有楽曲に変更があったかを調べる。変更が無ければＳ４０６へ進む。楽曲追加の変更があったときは、楽曲消失の変更の有無に関係なく、Ｓ４２５へ進む。楽曲追加の変更がなく、楽曲消失の変更のみがあったときは、Ｓ４３０へ進む
【００４１】
Ｓ４２５では、追加楽曲優先で、図７のＳ４０４と同じくプレイリストを再構築する。追加楽曲優先とは、プレイリストの登録数に制限があるとき、選択条件に該当する楽曲が制限数以内に絞り込まなければならないが、その絞込み時に排除されないようにすることである。Ｓ４２６では、図７のＳ４０５と同様に、ＡＣＣがオンからオフへ切り替わった時のプレイリストに登録されて既再生のも楽曲は、Ｓ４０４で再構築したプレイリストから削除する。
【００４２】
Ｓ４３０では、図７のＳ４０６と同様に、前回使用していたプレイリストをレジューム機能を使って読み出す。Ｓ４３１では、該プレイリストから、消失プレイリストを削除する修正を行う。
【００４３】
図１０は楽曲処理装置５０の機能ブロック図である。楽曲処理装置５０及び携帯型楽曲再生機器５１ａ，５１ｂ，５１ｃ・・・の一例はそれぞれヘッドユニット１１（図１）及びポータブルオーディオプレーヤ２８ａ，２８b，２８c・・・（図１）である。放音器５２の一例はスピーカ１８（図１）である。記憶装置５３の一例はハードディスク装置１２（図１）である。前述のヘッドユニット１１は、楽曲を自分のハードディスク装置１２に保有して、それら保有楽曲を再生して、再生音をスピーカ１８から出力自在になっているが、楽曲処理装置５０は、楽曲を自分では保有することなく、携帯型楽曲再生機器５１ａ，５１ｂ，５１ｃ・・・の保有楽曲のみの再生音をスピーカ１８から出力自在になっていてもよい。両者を区別するとき、前者の楽曲処理装置５０を「楽曲保有型楽曲処理装置５０」と呼び、後者の「非保有型楽曲処理装置５０」と呼ぶことにする。楽曲保有型楽曲処理装置５０は、本発明を適用するために、１個以上の携帯型楽曲再生機器５１ａ，５１ｂ，５１ｃ・・・を接続されればよいが、非保有型楽曲処理装置５０は、２個以上の携帯型楽曲再生機器５１ａ，５１ｂ，５１ｃ・・・を接続される必要がある。楽曲保有型楽曲処理装置５０の場合、該楽曲保有型楽曲処理装置５０に保有している楽曲は、該楽曲保有型楽曲処理装置５０の所有者（自動車のドライバーや楽曲処理装置５０を居間等に配備する家庭の住人等）の保有する楽曲となる。
【００４４】
すなわち、楽曲保有型楽曲処理装置５０は、１個以上の携帯型楽曲再生機器５１ａ，５１ｂ，５１ｃ・・・を接続され、各携帯型楽曲再生機器５１ａ，５１ｂ，５１ｃ・・・からの楽曲信号を受信して該楽曲信号に係る再生音を放音器５２より出力可能になっているとともに、自身が装備する記憶装置５３内の楽曲を再生して、再生音を放音器５２から出力可能になっている。
【００４５】
また、非保有型楽曲処理装置５０は２個以上の携帯型楽曲再生機器５１ａ，５１ｂ，５１ｃ・・・を接続され、各携帯型楽曲再生機器５１ａ，５１ｂ，５１ｃ・・・からの楽曲信号を受信して該楽曲信号に係る再生音を放音器５２より出力可能になっている。
【００４６】
各携帯型楽曲再生機器５１ａ，５１ｂ，５１ｃ・・・から楽曲処理装置５０への楽曲信号は、典型的には、各携帯型楽曲再生機器５１ａ，５１ｂ，５１ｃ・・・において楽曲ファイルをデコードして、デコード後のオーディオ信号である。この場合、楽曲処理装置５０は、携帯型楽曲再生機器５１ａ，５１ｂ，５１ｃ・・・から受信したオーディオ信号を、単に、増幅するのみで放音器５２から再生音を出力することができる。各携帯型楽曲再生機器５１ａ，５１ｂ，５１ｃ・・・から楽曲処理装置５０への楽曲信号は、楽曲ファイルデータであってもよい。この場合は、楽曲処理装置５０は、受信した楽曲ファイルをデコードして、オーディオ信号を生成する必要がある。
【００４７】
楽曲処理装置５０は、楽曲選択手段５５、プレイリスト作成手段５６及び再生手段５７を有している。楽曲保有型楽曲処理装置５０では、楽曲選択手段５５は、楽曲処理装置５０及び各携帯型楽曲再生機器５１ａ，５１ｂ，５１ｃ・・・が保有する楽曲の中から所定の選択条件に該当する楽曲を選択する。非保有型楽曲処理装置５０では、楽曲選択手段５５は、各携帯型楽曲再生機器５１ａ，５１ｂ，５１ｃ・・・が保有する楽曲の中から所定の選択条件に該当する楽曲を選択する。
【００４８】
プレイリスト作成手段５６は、選択された楽曲を再生対象楽曲として登録したプレイリストを作成する。再生手段５７は、プレイリストに登録されている楽曲を１個ずつ再生する。
【００４９】
選択条件には、肯定条件（例：過去１週間以内に聴取した楽曲という条件）だけでなく、否定条件（例：過去１週間以内に聴取しなかった楽曲という条件）を含むものとする。選択条件には、典型的には、グループ内で好まれている楽曲を抽出するような選択条件が設定されるが、面白さとしては、過半数のユーザには嫌われているが少数のユーザには好まれている楽曲を抽出する選択条件があってもよい。
【００５０】
選択条件は、例えば、（ａ）楽曲処理装置５０においてあらかじめ標準の幾つかが用意されていて、楽曲処理装置５０のユーザによりそれらの中から１個をユーザ設定しておくようになっているか、（ｂ）グループの楽曲を新規に作成するごとに、作成に先立ち、それら選択条件から１個を選択するようにするか、（ｃ）グループの楽曲を新規に作成するごとに、ユーザが手動で設定するかされる。
【００５１】
典型的な楽曲処理装置５０では、プレイリスト作成手段５６の作成するプレイリストに登録される楽曲数には、制限があるが、無制限の場合もある。また、楽曲数の制限には、２０曲以内とか、楽曲数で直接制限される場合の他に、プレイリストの全曲の総再生時間が３０分以内というように、総再生時間により規定される場合もある。さらに、選択条件によっては、楽曲選択手段５５が全員の楽曲処理装置５０又は携帯型楽曲再生機器５１ａ，５１ｂ，５１ｃ・・・から選択した楽曲の総数が、プレイリストの制限数に達しないこともあり得る。プレイリストに登録する楽曲数に制限がある場合であって、選択条件に該当する楽曲の個数が制限数を越えるときには、楽曲選択手段５５は、選択数を制限数内とするために、選択条件に該当する全部の楽曲の中から所定の優先基準に従い絞込みを行う必要がある。優先基準としては、例えば、多数のユーザが保有している楽曲を優先したり、逆に、一人のユーザしか保有していない楽曲を優先したりする基準がある。
【００５２】
こうして、複数のユーザが、楽曲処理装置５０又は携帯型楽曲再生機器５１ａ，５１ｂ，５１ｃ・・・に記録して自動車の車内又は建物の室内へ持ち寄った楽曲について、選択条件を設定して、該選択条件に合致する楽曲を選択して、音楽を全員で楽しむことができる。
【００５３】
なお、プレイリストは、その最後の楽曲を再生後、破棄することなく、情報保存部１７にプレイリスト情報２２として保存し、次の場面では、プレイリストを新たに作成することなく、プレイリスト情報２２を読み出して、再利用することができる。プレイリストに基づく再生は、プレイリストの最後の楽曲まで行くことなく、ユーザの都合により途中終了することも可能であり、再利用（レジューム）したい場合には、途中終了時に情報保存部１７にプレイリスト情報２２として保存する。プレイリスト情報２２には、プレイリスト自体の情報の他に、途中終了のときに最後に再生した楽曲に係る情報等、その他の情報も含めることができる。
【００５４】
以下、楽曲処理装置５０についてさらなる具体例を説明する。
【００５５】
選択条件とは、楽曲の付帯情報、楽曲処理装置５０若しくは各携帯型楽曲再生機器５１ａ，５１ｂ，５１ｃ・・・における楽曲再生履歴、楽曲処理装置５０若しくは各携帯型楽曲再生機器５１ａ，５１ｂ，５１ｃ・・・におけるユーザ別プレイリスト、又は楽曲処理装置５０若しくは各携帯型楽曲再生機器５１ａ，５１ｂ，５１ｃ・・・における楽曲嗜好情報、又は楽曲処理装置５０若しくは各携帯型楽曲再生機器５１ａ，５１ｂ，５１ｃ・・・が共通に保有している若しくは保有していない楽曲に係る選択条件である。
【００５６】
楽曲の付帯情報に係る選択条件とは、図２に関連して説明したように、ジャンル、アーティスト若しくは年代に係る選択条件である。楽曲再生履歴とは各楽曲についての再生回数に係る選択条件である。ユーザ別プレイリストに係る選択条件とはユーザ別プレイリストに登録されている楽曲に係る選択条件である。楽曲嗜好情報に係る選択条件とは、図３に関連して説明したように、特定のジャンル、アーティスト若しくは年代についての好き嫌いに係る選択条件である。
【００５７】
楽曲選択手段５５は、楽曲の再生機能を有しない携帯型情報機器であって楽曲処理装置５０に切り離し自在に接続される携帯型情報機器より接続時に選択条件に係る情報を入手して該情報を反映した選択条件に該当する所定の複数個の楽曲を楽曲処理装置５０又は携帯型楽曲再生機器５１ａ，５１ｂ，５１ｃ・・・の保有楽曲の中から選択してもよい。携帯型情報機器の一例は、携帯電話３５（図４）である。ユーザによっては、携帯型楽曲再生機器を持っていないことがあり、自分の嗜好情報が、選択条件に反映されず、疎外感を抱くことがある。そのようなユーザが携帯電話を持っていたら、該携帯電話に記録されている嗜好情報を楽曲処理装置５０へ伝送し、楽曲処理装置５０は、該嗜好情報を考慮した選択条件を設定可能になる。なお、携帯電話における嗜好情報の登録は、アドレス帳編集ソフトウェアのようなソフトウェアを使用することにより、アドレス帳への電話番号登録のような形式で実現可能である。
【００５８】
選択数に制限がある場合には、楽曲処理装置５０又は各携帯型楽曲再生機器５１ａ，５１ｂ，５１ｃ・・・からそれぞれ選択する楽曲の個数を、楽曲処理装置５０又は各携帯型楽曲再生機器５１ａ，５１ｂ，５１ｃ・・・において選択条件に該当する楽曲の個数比に基づくものにする。例えば、選択条件に該当する楽曲が、楽曲処理装置５０及び携帯型楽曲再生機器５１ａ，５１ｂ，５１ｃ・・・にそれぞれ１００，５０，３０，２０あったとし、制限数が２０であるとする。個数比は約分すると、１０：５：３：２であるので、楽曲処理装置５０及び携帯型楽曲再生機器５１ａ，５１ｂ，５１ｃ・・・からそれぞれ１０，５，３，２個ずつ選択されることになる。制限数は、楽曲処理装置５０におけるユーザ設定により予め行なわれたり、プレイリストを作成するつど、指定可能であったりする。厳密な個数比では、選択数が小数となってしまう楽曲処理装置５０又は携帯型楽曲再生機器５１ａ，５１ｂ，５１ｃ・・・では、小数第一位を四捨五入等の処理を実施し、最終選択数を制限数に合わせる。最終選択数が制限数より若干、少なくなってもよいとする。
【００５９】
楽曲処理装置５０はさらに再生順番決定手段６０を有している。再生順番決定手段６０は、選択された楽曲の再生順番を、再生楽曲の保有元としての楽曲処理装置５０若しくは各携帯型楽曲再生機器５１ａ，５１ｂ，５１ｃ・・・が循環する順番形式で、又は楽曲処理装置若しくは各携帯型楽曲再生機器において選択条件に該当する楽曲の個数に基づく順番形式で決定する。プレイリスト作成手段５６は、選択された楽曲を、決定された再生順番に表示したプレイリストを作成する。再生手段５７は、プレイリスト上の再生順番に基づき楽曲を再生する。
【００６０】
典型的なプレイリストでは、登録された各楽曲は、プレイリストにおいて、例えば楽曲名、楽曲名以外のメタデータ（アーティスト名やジャンル等）、携帯型楽曲再生機器情報（例：誰々の携帯型楽曲再生機器５１ａ，５１ｂ，５１ｃ・・・からの楽曲である）、及び／ＣＯＤＥＣ（COmpression／DECompression）情報に対応付けて表示される。また、典型的なプレイリストでは、楽曲は、再生順番の早い方から遅い方へ上から順番に並ぶ。
【００６１】
選択された楽曲の再生順番を、再生楽曲の保有元としての楽曲処理装置５０若しくは各携帯型楽曲再生機器５１ａ，５１ｂ，５１ｃ・・・が循環する順番形式例として次の（ａ）、及び楽曲処理装置若しくは各携帯型楽曲再生機器において選択条件に該当する楽曲の個数に基づく順番形式例として次の（ｂ），（ｃ）を挙げる。
【００６２】
（ａ）楽曲処理装置５０又は各携帯型楽曲再生機器５１ａ，５１ｂ，５１ｃ・・・からその選択楽曲を１曲ずつ順に再生し、残りの選択楽曲がなくなった楽曲処理装置５０又は携帯型楽曲再生機器５１ａ，５１ｂ，５１ｃ・・・は、スキップする再生順番方式で、全部の選択楽曲を再生する。すなわち、（携帯型楽曲再生機器５１ａからの選択楽曲が１個しかなかった場合）：楽曲処理装置５０の１曲目→携帯型楽曲再生機器５１ａの１曲目→携帯型楽曲再生機器５１ｂの１曲目→携帯型楽曲再生機器５１ｃの１曲目→楽曲処理装置５０の２曲目→携帯型楽曲再生機器５１ｂの２曲目→携帯型楽曲再生機器５１ｃの２曲目・・・
【００６３】
（ｂ）楽曲処理装置５０及び携帯型楽曲再生機器５１ａ，５１ｂ，５１ｃ・・・の内で選択楽曲の一番多かった機器の全選択曲→その次に多かった機器の全選択曲→・・・→一番少なかった機器の全選択曲
【００６４】
（ｃ）選択楽曲の一番少なかった機器の１曲→その次に少なかった機器の曲を比率に応じた数（前述の１００：５０：３０：２０の例では、５：２．５：１．５：１となり、１．５は四捨五入すると２であるので、２）→・・・→一番多かった機器の曲を比率に応じた数（前述の１００：５０：３０：２０の例では、５）→選択楽曲の一番少なかった機器の１曲→・・・
【００６５】
別の再生順番方式を採用する楽曲処理装置５０では、再生順番決定手段６０は、目的地までの誘導路上の所定地点に関連する楽曲が、該所定地点の通過予測時刻に再生されるように、楽曲の再生順番を決定する。再生手段５７は、選択された楽曲を、決定された再生順番に並べたプレイリストを作成する。再生手段５７は、プレイリスト上の再生順番に基づき楽曲を再生する。
【００６６】
誘導路上の所定地点を通過する時の楽曲再生の具体例を説明する。楽曲処理装置５０は、ヘッドユニット１１のように、カーナビゲーション装置に実装されることがある。ユーザが、カーナビゲーション装置搭載の自動車でドライブする際、出発時に、目的地を設定してルート検索すると、旅行時間及び通過地点と各通過地点を通過する予想時刻が判明する。これを基にプレイリスト上の再生順番を決定する。
【００６７】
例えば、東京駅から湘南海岸経由で伊豆方面へドライブに出掛けるとする。東京駅に集合して、カーナビゲーション装置により伊豆を目的地として及び湘南海岸を経由地としてルート探索を実施し、今回のドライブコースを設定する。カーナビゲーション装置は、誘導路と共に、誘導路上の各通過地点の予想通過時刻を計算する。該予想通過時刻に基づき湘南海岸を通過する頃に、海に関連した楽曲を再生するようなプレイリストをプレイリスト作成時に作成することができる。
【００６８】
楽曲処理装置５０は、さらに、現在地検出手段６３を有してもよい。現在地検出手段６３は、ＧＰＳ等を用いて現在地を検出する。再生手段５７は、プレイリストに登録されている楽曲であってかつ現在地に関連する楽曲を再生する。典型的なプレイリストでは、楽曲名が楽曲の再生順番に上から下へ並ぶが、現在地関連の楽曲を再生する場合には、プレイリスト上の再生順番が、適宜、変更されることになる。例えば、現在地が海の見える道路である場合には、海に関連の楽曲がプレイリストから選択されて再生される。現在地の検出タイミングは、典型的には、現在地に関連する楽曲の再生が開始する少し前、例えばその前の楽曲を再生していて、次の再生楽曲を決める時である。
【００６９】
楽曲処理装置５０は、また、楽曲処理装置５０及び携帯型楽曲再生機器５１ａ，５１ｂ，５１ｃ・・・の全部が保有する楽曲に基づき所定の選択条件を決めて、楽曲処理装置５０及び携帯型楽曲再生機器５１ａ，５１ｂ，５１ｃ・・・の１個が保有する楽曲の中から所定の選択条件に該当する所定の楽曲を選択してもよい。すなわち、選択条件に合致する楽曲は、楽曲処理装置又は１個の携帯型楽曲再生機器から行う。ただし、その場合においても、グループ全体の嗜好を反映するために、選択条件は、全体、すなわち楽曲処理装置５０及び携帯型楽曲再生機器５１ａ，５１ｂ，５１ｃ・・・の全部が保有する楽曲に基づき決める。
【００７０】
楽曲処理装置５０は、楽曲処理装置５０及び別々の携帯型楽曲再生機器５１ａ，５１ｂ，５１ｃ・・・から同一の楽曲が重複選択されてプレイリストに登録されている場合には、該同一の楽曲の内、再生順番が２番目以降のものについては、そのまま再生するか又は再生をスキップするかする。再生をスキップする場合には、ユーザは同一の楽曲を繰り返し聞かなくて済む。重複選択のために、スキップする楽曲を図６のＣｒ２とすると、Ｃｒ２をスキップする代わりに、例えば、Ｃｒ３を再生してもよい、すなわち、スキップされた楽曲を選択されている携帯型楽曲再生機器から、再生待ち順が、スキップされた楽曲の次である楽曲を、スキップされた楽曲の代わりに再生するのである。さらに、重複選択のために、スキップする楽曲を図６のＣｒ２とすると、Ｃｒ２をスキップする代わりに、例えば、Ｃｒｘを再生してもよい、Ｃｒｘとは、スキップされた楽曲Ｃｒ２を選択された携帯型楽曲再生機器ｃの保有楽曲であって、今回の選択条件には該当していたものの、登録数制限のために、図６のプレイリストへの登録から漏れた楽曲である。
【００７１】
或る楽曲処理装置５０では、プレイリスト作成手段５６は、楽曲処理装置５０及び別々の携帯型楽曲再生機器５１ａ，５１ｂ，５１ｃ・・・から同一の楽曲が重複選択された場合には、該重複選択された楽曲の内の１個のみが登録されるように、プレイリストを作成してもよい。プレイリストに重複して登録されていないということは、同一の楽曲が繰り返し再生されないことを意味する。ここで、再生順番決定手段６０は、重複選択された楽曲の内の１個のみがプレイリストに登録される楽曲は、重複選択のなかった他の楽曲より再生順番を前に又は後ろに決定してもよい。そして、プレイリスト作成手段５６は、選択された楽曲を、決定された再生順番に並べたプレイリストを作成する。再生手段５７は、プレイリスト上の再生順番に基づき楽曲を再生する。これにより、重複選択された楽曲の内の１個のみがプレイリストに登録される楽曲の再生が、最初又は最後に再生されることになる。
【００７２】
プレイリスト作成手段５６が、楽曲処理装置５０及び別々の携帯型楽曲再生機器５１ａ，５１ｂ，５１ｃ・・・から同一の楽曲が重複選択された場合には、該重複選択された楽曲の内の１個のみが登録されるように、プレイリストを作成したときについて、付言する。グループのメンバーがユーザＡ，Ｂ，Ｃの三人であって、携帯型楽曲再生機器５１ａ，５１ｂ，５１ｃはそれぞれユーザＡ，Ｂ，Ｃの所有とする。グループ用プレイリストに基づく楽曲再生の再生順では、例えば、携帯型楽曲再生機器５１ａからの選択楽曲→携帯型楽曲再生機器５１ｂからの選択楽曲→携帯型楽曲再生機器５１ｃからの選択楽曲→携帯型楽曲再生機器５１ａからの選択楽曲→・・・と、携帯型楽曲再生機器５１ａ，５１ｂ，５１ｃから選択楽曲を循環形式で１個ずつ再生する再生順を採用することがある。ユーザＡ，Ｂ，Ｃとは別個の仮のユーザＸを想定し、該ユーザＸが所有する仮の携帯型楽曲再生機器ｘを想定し、重複選択されたために重複選択楽曲の１個のみがプレイリストに登録されている楽曲は携帯型楽曲再生機器ｘからの選択楽曲とみなす。そして、グループ用プレイリストに基づく楽曲再生の再生順では、携帯型楽曲再生機器５１ｘからの選択楽曲→携帯型楽曲再生機器５１ａからの選択楽曲→携帯型楽曲再生機器５１ｂからの選択楽曲→携帯型楽曲再生機器５１ｃからの選択楽曲→携帯型楽曲再生機器５１ｘからの選択楽曲→・・・と、携帯型楽曲再生機器ｘ，５１ａ，５１ｂ，５１ｃから選択楽曲を循環形式で１個ずつ再生する再生順を採用してもよい。
【００７３】
楽曲選択手段５５は、所定の選択条件に該当する楽曲が楽曲処理装置５０及び携帯型楽曲再生機器５１ａ，５１ｂ，５１ｃ・・・に重複して保有されている場合には、該楽曲を選択から除外する。これにより、ユーザは自分の保有していない楽曲を聞くことができる。
【００７４】
楽曲処理装置５０は、自動車又は建物内に配備されるものである。すなわち、本発明は、車室内での実施に限定されず、家庭やレジャー施設の室内で実施されてもよい。
【００７５】
携帯型楽曲再生機器５１ａ，５１ｂ，５１ｃ・・・の１個が、楽曲処理装置５０であってもよい。この場合、携帯型楽曲再生機器５１ａ，５１ｂ，５１ｃ・・・の１個が、楽曲処理装置５０を兼ねる結果、専用の楽曲処理装置５０は不要となる。
【００７６】
別の楽曲処理装置５０は、携帯型情報機器（例：携帯電話）を接続されて、携帯型情報機器から嗜好情報を入手し、これに基づき選択条件を設定して、該当する楽曲を自身の保有楽曲の中から選択し、選択した楽曲に基づきプレイリストを作成し、該プレイリストに基づく楽曲再生を行うことができるようになっている。すなわち、別の楽曲処理装置５０は、自身が装備する記憶装置５３内の楽曲を再生して、再生音を放音器から出力可能になっている。楽曲選択手段５１は、楽曲の再生機能を有しない又は再生可能な楽曲を保有していない携帯型情報機器であって楽曲処理装置に切り離し自在に接続される携帯型情報機器より接続時に選択条件に係る情報を入手して該情報を反映した選択条件に該当する楽曲であって楽曲処理装置５０自身の保有する楽曲の中から選択する。プレイリスト作成手段５６は、選択された楽曲を再生対象楽曲として登録したプレイリストを作成する。再生手段５７は、プレイリストに登録されている楽曲を１個ずつ再生する。
【００７７】
図１１は楽曲処理装置７０の機能ブロック図である。該楽曲処理装置７０は、前述の楽曲処理装置５０（図１０）に、グループ用プレイリストに基づく楽曲再生の中断期間終了時のグループ用プレイリスト構築機能を追加したものとなっている。楽曲処理装置７０も、楽曲処理装置５０と同様に、楽曲を自分のハードディスク装置等の記憶装置７３に保有して、それら保有楽曲を再生して、再生音を放音器７２から出力自在になっていてもよいし、楽曲を自分では保有することなく、携帯型楽曲再生機器７１ａ，７１ｂ，７１ｃ，・・・の保有楽曲のみの再生音を放音器７２から出力自在になっていてもよい。両者を区別するとき、前者の楽曲処理装置７０を「楽曲保有型楽曲処理装置７０」と呼び、後者の楽曲処理装置７０を「非保有型楽曲処理装置７０」と呼ぶことにする。楽曲保有型楽曲処理装置７０は、本発明を適用するために、１個以上の携帯型楽曲再生機器７１ａ，７１ｂ，７１ｃ，・・・を接続されればよいが、非保有型楽曲処理装置７０は、２個以上の携帯型楽曲再生機器７１ａ，７１ｂ，７１ｃ，・・・を接続される必要がある。楽曲保有型楽曲処理装置７０の場合、該楽曲保有型楽曲処理装置７０に保有している楽曲は、該楽曲保有型楽曲処理装置７０の所有者（自動車のドライバー又は楽曲処理装置７０を居間等に配備する家庭の住人）の保有する楽曲となる。
【００７８】
すなわち、楽曲保有型楽曲処理装置７０は、１個以上の携帯型楽曲再生機器７１ａ，７１ｂ，７１ｃ，・・・を接続され、各携帯型楽曲再生機器７１ａ，７１ｂ，７１ｃ，・・・からの楽曲信号を受信して該楽曲信号に係る再生音を放音器７２より出力可能になっているとともに、自身が装備する記憶装置７３内の楽曲を再生して、再生音を放音器７２から出力可能になっている。
【００７９】
また、非保有型楽曲処理装置７０は、２個以上の携帯型楽曲再生機器７１ａ，７１ｂ，７１ｃ，・・・を接続され、各携帯型楽曲再生機器７１ａ，７１ｂ，７１ｃ，・・・からの楽曲信号を受信して該楽曲信号に係る再生音を放音器７２より出力可能になっている。
【００８０】
楽曲処理装置７０は、楽曲選択手段７５、プレイリスト作成手段７６、中断期間検出手段７８、有無検出手段７９、再作成手段８０及び再利用手段８１を有している。楽曲保有型楽曲処理装置７０の楽曲選択手段７５は、楽曲処理装置７０及び各携帯型楽曲再生機器７１ａ，７１ｂ，７１ｃ，・・・が保有する楽曲の中から所定の選択条件に該当する楽曲を選択する。非保有型楽曲処理装置７０の楽曲選択手段７５は、各携帯型楽曲再生機器７１ａ，７１ｂ，７１ｃ，・・・が保有する楽曲の中から所定の選択条件に該当する楽曲を選択する。
【００８１】
プレイリスト作成手段７６は、選択された楽曲を再生対象楽曲として登録したプレイリストを作成する。再生手段７７は、プレイリストに登録されている楽曲を１個ずつ順番に再生する。中断期間検出手段７８は、プレイリストに基づく再生手段７７による楽曲の再生の中断期間を検出する。有無検出手段７９は、中断期間終了時までの所定事実の有無を検出する。再作成手段８０は、楽曲選択手段７５及びプレイリスト作成手段７６にそれらの処理を再実行させてプレイリストを再作成する。再利用手段８１は、中断期間開始に先立ちプレイリストを保存し中断期間終了後では保存したプレイリストを読み出して、該プレイリストを再生手段７７に再利用させる。制御手段８２は、中断期間の終了時では、所定事実の有無に基づき再作成手段８０及び再利用手段８１のいずれかを起動させる。
【００８２】
中断期間開始に先立ってのプレイリストの保存は、中断期間検出手段７８が中断期間開始時を検出した際に、プレイリストを不揮発性メモリ９５へ保存することにより行われてよい。不揮発性メモリ９５の一例は、図１の情報保存部１７である。記憶装置７３が不揮発性メモリ９５を兼用することもできる。中断期間終了後における保存したプレイリストを読み出し一例は、図７〜図９におけるＳ４０６である。所定事実の例は、図７〜図９におけるＳ４０３，Ｓ４１０，Ｓ４２０である。
【００８３】
中断期間終了時に再作成手段８０によって再作成されるプレイリストに適用される選択条件の典型は、前回、再生中断されたプレイリストに適用された選択条件と同一である。しかし、前回、再生中断されたプレイリストに適用された選択条件とは別個に設定してもよい。例えば、中断期間に新規加入したグループ員の好みのジャンルが、前回、再生中断されたプレイリストに適用された選択条件に係るジャンルとは相違しており、新規加入したグループ員の好みのジャンルが以前からのグループ員の好みのジャンルにもなっている場合には、中断期間終了後の選択条件に係るジャンルは、新規加入したグループ員の好みのジャンルへ変更することもできる。
【００８４】
こうして、種々の原因によりグループ用プレイリストに基づく楽曲再生の中断があっても、中断期間終了後では、適切なグループ用プレイリストを使用して、すなわち、グループ員の出入り等にもかかわらず、支障のない楽曲再生を図りつつ、プレイリスト再利用による迅速化も達成できる。
【００８５】
楽曲処理装置楽曲処理装置７０のさらなる具体的態様について説明する。
【００８６】
所定事実とは、（ａ）中断期間中に楽曲処理装置７０が搭載される車両のエンジンキーの挿抜があった事実、（ｂ）中断期間終了時までのエンジン停止が所定時間以上となっている事実、（ｃ）選択条件に該当する楽曲処理装置７０若しくは各携帯型楽曲再生機器７１ａ，７１ｂ，７１ｃ，・・・の保有楽曲に変更があった事実、（ｄ）選択条件の因子となっている各ユーザの嗜好情報であって各携帯型楽曲再生機器７１ａ，７１ｂ，７１ｃ，・・・に登録されている嗜好情報に変更があった事実、（ｅ）中断期間中に再生ソースを楽曲処理装置７０若しくは各携帯型楽曲再生機器７１ａ，７１ｂ，７１ｃ，・・・の保有楽曲以外のソースへ切り替えた事実、（ｆ）中断期間が所定時間以上であった事実の内の２個以上の事実の組み合わせ又は１個の事実から成る。
【００８７】
組み合わせには、例えば（ａ）及び（ｂ）について、それらをアンド条件で結合する組み合わせの外、（ｂ）を（ａ）の親条件条件に対する子条件とする垂直的な組み合わせも含むものとする。
【００８８】
事実（ａ）の適用例は図７のプレイリスト構築方法４０ａである。事実（ｂ）の適用例は図８のプレイリスト構築方法４０ｂである。事実（ｃ）の適用例は図９のプレイリスト構築方法４０ｃである。
【００８９】
事実（ｃ）における「選択条件に該当する楽曲処理装置７０若しくは各携帯型楽曲再生機器７１ａ，７１ｂ，７１ｃ，・・・の保有楽曲に変更があった」の「変更」には、新規楽曲の追加と、楽曲の消失が含まれる。中断期間における追加楽曲数と消失楽曲数とが等しい場合のように、グループ全体の保有個数は不変であっても、新規楽曲の追加と、楽曲の消失が起きていることがある。
【００９０】
楽曲処理装置７０におけるグループ用プレイリストに基づく楽曲再生の中断は、運転者（運転者はユーザでもある。）が、例えば、楽曲処理装置７０本体の電源スイッチをオフにした時、又は楽曲処理装置７０本体の電源スイッチをオンにしたままだが、運転者がエンジンキーをＯＦＦ位置へ切り替えた時に生じる。また、中断期間の終了は、中断状態から、エンジンキーがＡＣＣ位置又はＯＮ位置へ切り替わるか、楽曲処理装置７０本体の電源スイッチがオンにされるかして、エンジンキーがＡＣＣ位置又はＯＮ位置でかつ楽曲処理装置７０本体の電源スイッチがオンになった時、起きる。さらに、ソースをチューナ等へ切り替えた時及びプレイリスト再生へ戻した時にも中断開始及び終了が生じる。
【００９１】
（ａ）について、例えば、中断期間中に楽曲処理装置７０が搭載される車両のエンジンキーの挿抜があった事実が有りの場合は、グループ員の変更がある可能性が高いので、中断期間終了時には、プレイリストを再作成し、該事実無しの場合には、一般的に、中断期間が短く、グループ員の変更がある可能性が低いので、中断期間終了時には、前回のプレイリスト、すなわち中断期間開始直前のプレイリストを再利用する。例えば、ガソリンスタンドの給油では、運転者は、エンジンキーをＯＦＦ位置にはするが、エンジンキーの挿抜を行わないのが普通である。
【００９２】
（ｂ）について、例えば、中断期間終了時までのエンジン停止が所定時間以上となっている事実が有りの場合には、グループ員の変更がある可能性が高いので、中断期間終了時には、プレイリストを再作成し、該事実無しの場合には、一般的に、グループ員の変更がある可能性が低いので、中断期間終了時には、前回のプレイリスト、すなわち中断期間開始直前のプレイリストを再利用する。例えば、ガソリンスタンドの給油のためのエンジンキーのＯＦＦ位置切替では、中断期間は短い。
【００９３】
（ｃ）について、例えば、選択条件に該当する楽曲処理装置７０若しくは各携帯型楽曲再生機器７１ａ，７１ｂ，７１ｃ，・・・の保有楽曲に変更があった事実が有りの場合には、中断期間終了時には、プレイリストを再作成し、該事実無しの場合には、中断期間終了時には、前回のプレイリスト、すなわち中断期間開始直前のプレイリストを再利用する。
【００９４】
（ｄ）について、例えば、選択条件（中断期間開始前のプレイリストに適用されていた選択条件）の因子となっている各ユーザの嗜好情報であって各携帯型楽曲再生機器７１ａ，７１ｂ，７１ｃ，・・・に登録されている嗜好情報に変更があった事実が有りの場合には、プレイリストを再作成し、該事実無しの場合には、中断期間終了時には、前回のプレイリスト、すなわち中断期間開始直前のプレイリストを再利用する。ユーザの嗜好情報の変更とは、例えば、好きなジャンルをジャズからロックへ変更したり、好きなジャンルについて、ジャズに加えて、ロックを追加したり、好きなジャンルを今までロックとジャズに登録していたのをロックを削除したりすることである。
【００９５】
（ｅ）について、例えば、中断期間中に再生ソースを楽曲処理装置７０若しくは各携帯型楽曲再生機器７１ａ，７１ｂ，７１ｃ，・・・の保有楽曲以外のソースへ切り替えた事実が有りの場合には、該事実に因る中断は、一時的なものであり、グループ員の変更がある可能性が低いので、中断期間終了時には、前回のプレイリスト、すなわち中断期間開始直前のプレイリストを再利用する。該事実無しの場合には、中断が一時的なものではなく、比較的長期にわたっていて、グループ員の変更がある可能性が高いので、中断期間終了時には、プレイリストを再作成する。
【００９６】
（ｆ）について、例えば、中断期間が所定時間以上であった事実が有りの場合は、グループ員の変更がある可能性が高いので、中断期間終了時には、プレイリストを再作成し、該事実無しの場合には、一般的に、中断期間が短く、グループ員の変更がある可能性が低いので、中断期間終了時には、前回のプレイリスト、すなわち中断期間開始直前のプレイリストを再利用する。
【００９７】
（ｃ）、（ｄ）又は（ｅ）の事実から成る所定事実が適用される楽曲処理装置７０は、自動車又は建物内に配備されるものである。すなわち、前述の事実（ａ）又は（ｂ）が適用される楽曲処理装置７０は、自動車に装備されるものに限定されるが、（ｃ）、（ｄ）又は（ｅ）の事実が適用される楽曲処理装置７０は、自動車に装備されるものだけでなく、家庭等に配備されるものであってもよい。
【００９８】
再作成手段８０は、楽曲選択手段７５による楽曲の選択数に制限がある場合、選択条件に該当する楽曲処理装置７０又は各携帯型楽曲再生機器７１ａ，７１ｂ，７１ｃ，・・・の保有楽曲に追加楽曲が存在する事実に因る起動では、該追加楽曲を優先的に選択するように、楽曲選択手段７５に処理させる。プレイリスト構築方法４０ｃ（図９）のＳ４２５はこの一例である。これにより、グループのユーザは、中断期間に追加された楽曲を確実に聞くことができる。
【００９９】
再作成手段８０は、選択条件に該当する楽曲処理装置７０又は各携帯型楽曲再生機器７１ａ，７１ｂ，７１ｃ，・・・の保有楽曲に追加楽曲が存在する事実に因る起動では、該追加楽曲の再生順番が他の楽曲の再生順番より早くなるように、プレイリスト作成手段７６に処理させる。これにより、これにより、グループのユーザは、中断期間に追加された楽曲を、グループ用プレイリストによる楽曲再生開始後、速やかに聞くことができる。
【０１００】
制御手段８２は、選択条件に該当する楽曲処理装置７０又は各携帯型楽曲再生機器７１ａ，７１ｂ，７１ｃ，・・・の保有楽曲に追加楽曲が存在せず消失楽曲が存在する場合には、再利用手段８１を起動させるとともに、再生手段７７には再利用プレイリストに登録されている消失楽曲について再生をスキップさせる。楽曲の消失のみがあった場合には、プレイリスト構築方法４０ｃ（図９）のＳ４３０で説明したように、グループ用プレイリストの再作成ではなく、中断期間前に使用していたグループ用プレイリストを再利用して、該再利用グループ用プレイリストの消失楽曲をスキップすることができる。
【０１０１】
選択条件に該当する楽曲処理装置７０又は各携帯型楽曲再生機器７１ａ，７１ｂ，７１ｃ，・・・の保有楽曲に追加楽曲が存在せず消失楽曲が存在する場合には、再利用手段８１を起動させるとともに、もし、該消失楽曲を保有楽曲から選択された楽曲処理装置７０又は携帯型楽曲再生機器７１ａ，７１ｂ，７１ｃ，・・・とは別の楽曲処理装置７０又は携帯型楽曲再生機器７１ａ，７１ｂ，７１ｃ，・・・が保有しているならば、該別の楽曲処理装置７０又は携帯型楽曲再生機器７１ａ，７１ｂ，７１ｃ，・・・から該消失楽曲に係る選択条件信号を受信して該消失楽曲を再生手段７７に再生させる。これにより、スキップ楽曲を最小限に留めることができる。
【０１０２】
制御手段８２は、中断期間の終了時では、所定事実の有無の代わりに、ユーザからの指示に基づき再利用手段８１及び再作成手段８０のいずれかを起動させる。ユーザは、自分の希望により、グループ用プレイリストの再利用、再作成を選択できる。
【０１０３】
中断期間終了時までのエンジン停止が所定時間以上となっている事実における所定時間、中断期間中に再生ソースを楽曲処理装置７０若しくは各携帯型楽曲再生機器７１ａ，７１ｂ，７１ｃ，・・・の保有楽曲以外の別ソースへ切り替えていた場合に別ソース選択時間が所定時間以上となっている事実における所定時間、又は中断期間が所定時間以上であった事実における所定時間は、ユーザ設定可能となっていることが好ましい。
【０１０４】
携帯型楽曲再生機器７１ａ，７１ｂ，７１ｃ，・・・の１個が、楽曲処理装置７０であってもよい。この場合、携帯型楽曲再生機器７１ａ，７１ｂ，７１ｃ，・・・の１個が、楽曲処理装置５０を兼ねる結果、専用の楽曲処理装置７０は不要となる。
【０１０５】
図１２は楽曲処理方法１００のフローチャートである。前述の図７〜図９のプレイリスト構築方法４０ａ，４０ｂ，４０ｃは楽曲処理方法１００の具体例である。楽曲処理方法１００は楽曲保有型楽曲処理装置７０及び非保有型楽曲処理装置７０に適用される。楽曲保有型楽曲処理装置７０に適用される楽曲処理方法１００では、Ｓ１０１において、楽曲処理装置７０及び各携帯型楽曲再生機器７１ａ，７１ｂ，７１ｃ，・・・が保有する楽曲の中から所定の選択条件に該当する楽曲を選択する。非保有型楽曲処理装置７０に適用される楽曲処理方法１００では、Ｓ１０１において、各携帯型楽曲再生機器が保有する楽曲の中から所定の選択条件に該当する楽曲を選択する。
【０１０６】
Ｓ１０２では、選択された楽曲を再生対象楽曲として登録したプレイリストを作成する。Ｓ１０３では、プレイリストに登録されている楽曲を１個ずつ順番に再生する。Ｓ１０４，Ｓ１０５では、プレイリストに基づく楽曲の再生の中断期間を検出する。Ｓ１０６では、中断期間終了時までの所定事実の有無を検出する。Ｓ１０７では、中断期間の終了時では、所定事実の有無に基づき再作成のプレイリスト及び再利用プレイリストいずれかに基づき楽曲を再生する。
【０１０７】
楽曲処理方法１００においても、楽曲処理装置７０と同様の具体的態様が可能である。すなわち、所定事実とは、中断期間中に楽曲処理装置７０が搭載される車両のエンジンキーの挿抜があった事実、中断期間終了時までのエンジン停止が所定時間以上となっている事実、選択条件に該当する楽曲処理装置７０若しくは各携帯型楽曲再生機器７１ａ，７１ｂ，７１ｃ，・・・の保有楽曲に変更があった事実、選択条件の因子となっている各ユーザの嗜好情報であって各携帯型楽曲再生機器７１ａ，７１ｂ，７１ｃ，・・・に登録されている嗜好情報に変更があった事実、中断期間中に再生ソースを楽曲処理装置７０若しくは各携帯型楽曲再生機器７１ａ，７１ｂ，７１ｃ，・・・の保有楽曲以外のソースへ切り替えた事実、中断期間が所定時間以上であった事実の内の２個以上の事実の組み合わせ又は１個の事実から成る。
【０１０８】
Ｓ１０７では、楽曲の選択数に制限がある場合、選択条件に該当する楽曲処理装置７０又は各携帯型楽曲再生機器７１ａ，７１ｂ，７１ｃ，・・・の保有楽曲に追加楽曲が存在する事実に因るプレイリストの再作成では、該追加楽曲を優先的に選択する。
【０１０９】
Ｓ１０７では、選択条件に該当する楽曲処理装置７０又は各携帯型楽曲再生機器７１ａ，７１ｂ，７１ｃ，・・・の保有楽曲に追加楽曲が存在する事実に因るプレイリストの再作成では、該追加楽曲の再生順番が他の楽曲の再生順番より早くなるように、プレイリストを再作成する。
【０１１０】
Ｓ１０７では、選択条件に該当する楽曲処理装置７０又は各携帯型楽曲再生機器７１ａ，７１ｂ，７１ｃ，・・・の保有楽曲に追加楽曲が存在せず消失楽曲が存在する場合には、プレイリストを再利用するとともに、該再利用プレイリストに基づく楽曲再生では、再利用プレイリストに登録されている消失楽曲について再生をスキップする。
【０１１１】
Ｓ１０７では、選択条件に該当する楽曲処理装置７０又は各携帯型楽曲再生機器７１ａ，７１ｂ，７１ｃ，・・・の保有楽曲に追加楽曲が存在せず消失楽曲が存在する場合には、再利用プレイリストを使用するとともに、該消失楽曲を保有楽曲から選択された楽曲処理装置７０又は携帯型楽曲再生機器７１ａ，７１ｂ，７１ｃ，・・・とは別の楽曲処理装置７０又は携帯型楽曲再生機器７１ａ，７１ｂ，７１ｃ，・・・が保有しているときには、該別の楽曲処理装置７０又は携帯型楽曲再生機器７１ａ，７１ｂ，７１ｃ，・・・から該消失楽曲に係る選択条件信号を受信して該消失楽曲を再生する。
【０１１２】
中断期間の終了時では、すなわち、Ｓ１０７では、所定事実の有無の代わりに、ユーザからの指示に基づきプレイリストの再作成かプレイリストの再利用かを切り替える。
【０１１３】
本発明のプログラムは、楽曲処理装置７０の各手段として機能させる。本発明のプログラムは、また、コンピュータに楽曲処理方法１００の各ステップをコンピュータに実現させる。
【図面の簡単な説明】
【０１１４】
【図１】車載型楽曲再生システムの概略構成図である。
【図２】ハードディスク装置及び不揮発性メモリにおける楽曲ファイルのデータ構造を示す図である。
【図３】嗜好情報ファイルの構造図である。
【図４】携帯電話におけるメタファイルのデータ構造を示す図である。
【図５】各ポータブルオーディオプレーヤの不揮発性メモリに楽曲データとして格納されているファイルの状態を、ジャンルを区別して示す図である。
【図６】各ポータブルオーディオプレーヤから選択した楽曲に基づき作成された楽曲ファイルにおける楽曲登録状況及び再生順を示す図である。
【図７】エンジンキーの挿抜に基づくプレイリスト構築方法のフローチャートである。
【０１１５】
【図８】エンジン停止期間の長さに基づくプレイリスト構築方法のフローチャートである。
【図９】グループ保有楽曲の変更に基づくプレイリスト構築方法のフローチャートである。
【図１０】楽曲処理装置の機能ブロック図である。
【図１１】別の楽曲処理装置の機能ブロック図である。
【図１２】楽曲処理方法のフローチャートである。
【符号の説明】
【０１１６】
７０：楽曲処理装置、７１ａ，７１ｂ，７１ｃ：携帯型楽曲再生機器、７２：放音器、７３：記憶装置、７５：楽曲選択手段、７６：プレイリスト作成手段、７７：再生手段、７８：中断期間検出手段、７９：有無検出手段、８０：再作成手段、８１：再利用手段、８２：制御手段、１００：楽曲処理方法。
【図１】
2006284755.tif 000003
【図２】
2006284755.tif 000004
【図３】
2006284755.tif 000005
【図４】
2006284755.tif 000006
【図５】
2006284755.tif 000007
【図６】
2006284755.tif 000008
【図７】
2006284755.tif 000009
【図８】
2006284755.tif 000010
【図９】
2006284755.tif 000011
【図１０】
2006284755.tif 000012
【図１１】
2006284755.tif 000013
【図１２】
2006284755.tif 000014